(57)【要約】【課題】高寿命化を容易に図ることができる小形、薄形の横押し型プッシュスイッチを提供する。【解決手段】横押し型プッシュスイッチ１は、ドーム状金属板７，８を横方向からの押しボタン９の押圧により押し下げるに当たって、２つの固定端及び１つの自由端を有する可撓性をもったＴ字状の押し子１１を備え、押し子１１の自由端を押しボタン９に接触するようにし、その押し子１１の自由端に押しボタン９の押圧を直角方向に変換する傾斜部１１ｅを形成し、押しボタン９の押圧により押し子１１の２つの固定端の間１１ａを捻り変形させながら、押し子１１の自由端によりドーム状金属板７，８を押し下げ、押し子１１全体の変形量を少なくして、押し子１１に発生する応力を減少させ、押し子１１の外形を大きくすることなく、押し子１１の耐久性を向上する。【選択図】  図３
2008108654.tif 000002
【特許請求の範囲】
【請求項１】
ドーム状金属板を横方向からの押しボタンの押圧により押し下げる横押し型プッシュスイッチであって、２つの固定端及び１つの自由端を有する可撓性をもったＴ字状の押し子を備え、押し子の自由端を押しボタンに接触するようにし、その押し子の自由端に押しボタンの押圧を直角方向に変換する傾斜部を形成し、押しボタンの押圧により押し子の２つの固定端の間を捻り変形させながら、押し子の自由端によりドーム状金属板を押し下げることを特徴とする横押し型プッシュスイッチ。
【請求項２】
押し子の傾斜部には丸みを付けて、押しボタンに線接触させて摺動させる請求項１に記載の横押し型プッシュスイッチ。
【請求項３】
押し子は、押しボタンを横方向に往復移動自在に支持するガイド体に、押し子の２つの固定端で繋いで一体に形成する請求項１又は２に記載の横押し型プッシュスイッチ。
【請求項４】
押しボタンに可動ストッパを一体に形成すると共に、ガイド体に、押しボタンの可動ストッパを当接させて、押しボタンの押圧を決められた位置で止める固定ストッパを一体に形成する請求項３に記載の横押し型プッシュスイッチ。
【請求項５】
ドーム状金属板を上下２段で設置する請求項１乃至４の何れか１に記載の横押し型プッシュスイッチ。
【発明の詳細な説明】
【技術分野】
【０００１】
本発明は、例えば携帯電話機や携帯オーディオプレーヤ等の電子機器において、側面操作用のスイッチとして用いられる小形・薄形の横押し型プッシュスイッチに関する。
【背景技術】
【０００２】
横押し型プッシュスイッチにおいては、小形・薄形を実現するため、基板への実装を面実装で行い、可動接点としてドーム状金属板を用いるものが多く、横方向からの押しボタンの押圧を直角方向に変換して、ドーム状金属板を押し下げ、スイッチをオンにするようになっている。
【０００３】
従来の横押し型プッシュスイッチとして、押しボタンの奥側にある樹脂ハウジングの側壁に、押しボタンに向かって突出する可撓性をもった単純な片持ち梁を一体に形成し、押しボタンと片持ち梁の自由端を平坦な傾斜面をもって面接触させるようにし、押しボタンの押圧により片持ち梁を固定端を支点に下向きに撓み変形させて、ドーム状金属板を押し下げるものが知られている（例えば特許文献１参照）。
【特許文献１】実開平５−１１２５号公報
【発明の開示】
【発明が解決しようとする課題】
【０００４】
従来の横押し型プッシュスイッチにおいては、樹脂の片持ち梁に圧縮及び引っ張りの応力を発生する撓みの繰り返しに対する耐久性によってスイッチの寿命が左右される。スイッチには実装部品としてのさらなる小型・薄形の要求があり、片持ち梁の耐久性を向上させるために、その長さや厚みを増やすことはできず、スイッチの高寿命化を容易に図り得ない問題があった。
【０００５】
また、携帯型電子機器の小型・薄形化に加えて多機能化が進む中、２枚のドーム状金属板を２段で設置する２段動作タイプの横押し型プッシュスイッチが強く求められているが、この場合、１段動作タイプよりスイッチの操作ストローが長くなるため、スイッチの高寿命化がより困難になる問題があった。
【０００６】
本発明は、上記のような問題に鑑みてなされたもので、その第１の目的は、高寿命化を容易に図ることができる小形・薄形の横押し型プッシュスイッチを提供することにある。
【０００７】
また、第２の目的は、高寿命化を容易に図ることができる小形・薄形で、２段動作タイプの横押し型プッシュスイッチを提供することにある。
【課題を解決するための手段】
【０００８】
上記の第１の目的を達成するために本発明の横押し型プッシュスイッチは、ドーム状金属板を横方向からの押しボタンの押圧により押し下げる横押し型プッシュスイッチであって、２つの固定端及び１つの自由端を有する可撓性をもったＴ字状の押し子を備え、押し子の自由端を押しボタンに接触するようにし、その押し子の自由端に押しボタンの押圧を直角方向に変換する傾斜部を形成し、押しボタンの押圧により押し子の２つの固定端の間を捻り変形させながら、押し子の自由端によりドーム状金属板を押し下げることを特徴とするもので、押し子全体の変形量を少なくして、押し子に発生する応力を減少させる。これにより、押し子の外形を大きくすることなく、押し子の耐久性を向上することができる。
【０００９】
本発明の横押し型プッシュスイッチにおいては、押し子の傾斜部には丸みを付けて、押しボタンに線接触させて摺動させることが好ましい。この形態では、押しボタンと押し子の自由端との摺動摩擦を少なくして、押しボタンと押し子の自由端との摺動部の磨耗を抑え、ドーム状金属板の安定した押し下げストローク（スイッチの操作ストローク）を得る。これにより、スイッチの寿命までドーム状金属板の良好な動作特性（スイッチの良好な動作特性）を得ることができる。
【００１０】
本発明の横押し型プッシュスイッチにおいては、押し子は、押しボタンを横方向に往復移動自在に支持するガイド体に、押し子の２つの固定端で繋いで一体に形成することが好ましい。この形態では、押しボタンと押し子との位置精度を確保して、ドーム状金属板の安定した押し下げストロークを得る。これにより、スイッチの寿命までドーム状金属板の良好な動作特性を得るとができる。
【００１１】
本発明の横押し型プッシュスイッチにおいては、押しボタンに可動ストッパを一体に形成すると共に、ガイド体に、押しボタンの可動ストッパを当接させて、押しボタンの押圧を決められた位置で止める固定ストッパを一体に形成することが好ましい。この形態では、押しボタンの過剰な押圧（オーバーストローク）を精度よく制限することにより、押しボタンの過剰な押圧による押し子やドーム状金属板の耐久性の低下を防止することができると共に、スイッチの寿命までドーム状金属板の良好な動作特性を得ることができる。
【００１２】
上記の第２の目的を達成するために本発明の横押し型プッシュスイッチは、上記の第１の目的を達成するための本発明の横押し型プッシュスイッチに、ドーム状金属板を上下２段で設置し、２段動作タイプの横押し型プッシュスイッチを構成する。
【発明の効果】
【００１３】
本発明の横押し型プッシュスイッチによれは、高寿命化を容易に図ることができる小形・薄形の横押し型プッシュスイッチを提供することができる。
【００１４】
また、高寿命化を容易に図ることができる小形・薄形で、２段動作タイプの横押し型プッシュスイッチを提供することができる。
【発明を実施するための最良の形態】
【００１５】
以下、本発明の一実施の形態を図面に基づいて説明する。図１は本発明の一実施の形態による横押し型プッシュスイッチの外観を示す平面図、図２は本発明の一実施の形態による横押し型プッシュスイッチの外観を示す側面図、図３は本発明の一実施の形態による横押し型プッシュスイッチの内部構造を示すカバー除去状態の平面図、図４は本発明の一実施の形態による横押し型プッシュスイッチの内部構造を示す断面図、図５は本発明の一実施の形態による横押し型プッシュスイッチの組み立て図、図６は本発明の一実施の形態による横押し型プッシュスイッチに備える押しボタンを下から見た斜視図、図７は本発明の一実施の形態による横押し型プッシュスイッチに備えるガイド体の平面図、図８は本発明の一実施の形態による横押し型プッシュスイッチに備えるガイド体の断面図である。
【００１６】
図１〜図８において、本発明の一実施の形態による横押し型プッシュスイッチ１は、２段階で２種類のスイッチ回路を開閉操作する２段動作タイプであり、インサート成形により第１，第２，第３の固定端子２，３，４と一体に形成する合成樹脂製で絶縁性をもったハウジング５と、ハウジング５とで横押し型プッシュスイッチ１のケースを形成するカバー６と、第１，第２の可動接点として用いる第１，第２のばね性をもったドーム状金属板７，８と、横方向から押圧してスイッチ操作を行う合成樹脂製で絶縁性をもった押しボタン９と、押しボタン９を横方向に往復移動自在に支持すると共に、押しボタン９の押圧を決められた位置で止める合成樹脂製で絶縁性をもったガイド体１０と、ガイド体１０に一体に形成し、横方向からの押しボタン９の押圧を下直角方向に変換して第１，第２ドーム状金属板７，８に伝達し、第１，第２ドーム状金属板７，８を押し下げて横押し型プッシュスイッチ１を２段動作させる合成樹脂製で絶縁性をもった押し子１１とから構成される。
【００１７】
ハウジング５は、上面開放の箱型に形成され、その内底面に段付き凹部５ａを設けている。第１，第２，第３の固定接点端子２，３，４は、良導電性の金属薄板を打ち抜き及び曲げ加工することによって形成され、ハウジング５の底部に絶縁状態で埋設されている。第１固定接点端子２は、その一部を段付き凹部５ａの外周段差面に略面一に露出して、第１固定接点としてのコモン接点２ａを形成する。第２固定接点端子３は、その一部を段付き凹部５ａの底面外側部に略面一に露出して、第２固定接点としての第１選択接点３ａを形成する。第３固定接点端子４は、その一部を段付き凹部５ａの底面中心部に略面一に露出して、第３固定接点としての第２選択接点４ａを形成する。また、第１，第２，第３の固定接点端子２，３，４は、その一部をハウジング５の外部に取り出して、横押し型プッシュスイッチ１の外部接続端子を形成する。外部接続端子は、図示しないプリント回路基板に半田付けで面実装される。ハウジング５の外底面には、実装時の位置決め用に複数の突起５ｂを下方へ突出して設けている。
【００１８】
また、ハウジング５は、前後左右４側壁の１つ（本実施の形態では左側壁）に押しボタン突出用の切り欠き５ｃを設け、上部４隅にカバー位置決め用の突起５ｄを上方へ突出して設け、左右側壁外面にカバー固定用の第１係止爪５ｅを外側へ突出して設け、前後側壁外面から外底面側部にわたってカバー固定用の係止溝５ｆを設けている。
【００１９】
カバー６は、ハウジング５の開放上面を覆い、横押し型プッシュスイッチ１のケースを形成する。また、カバー６は、良導電性の金属板を打ち抜き及び曲げ加工することによって形成され、４隅にカバー位置決め用の切り欠き６ａを設け、左右側縁からカバー固定用のばね性をもった第１係止片６ｂを下方へ突出して設け、前後側縁からカバー固定用のばね性をもった第２係止片６ｃを突出して設けている。横押し型プッシュスイッチ１の組み立て最終段階にハウジング５の開放上面をカバー６で覆う際、カバー６の切り欠き６ａをハウジング５の突起５ｄに嵌合させることにより、カバー６がハウジング５の開放上面で位置決めされる。また、第１係止片６ｂは、その下部がハウジング５の第１係止爪５ｅ上部に付けたテーパで外側に押し広げられて第１係止爪５ｅ外面に乗り上げ、第１係止爪５ｅを乗り越えた時点で元に戻り、ハウジング５の左右側壁外面を押圧しながら第１係止爪５ｅに下側から係止する。さらに、第２係止片６ｃは、その下部がハウジング５の係止溝５ｆ上部に付けたテーパで外側に押し広げられて係止溝５ｆ垂直部に嵌合し、ハウジング５の前後側壁を乗り越えた時点で係止溝５ｆ水平部に嵌合して元に戻り、全体が係止溝５ｆに嵌合し、上部でハウジング５の前後側壁外面を押圧しながら下部がハウジング５の外底面側部に下側から係止する。これにより、カバー６がハウジング５の開放上面に固定される。
【００２０】
第１ドーム状金属板７及び第２ドーム状金属板８は、良導電性の金属薄板を打ち抜き及び曲げ加工することによって形成され、第１ドーム状金属板７の外周部を段付き凹部５ａの外周段差面に支持し、第２ドーム状金属板８の外周部を段付き凹部５ａの底面外周部に支持して、第１ドーム状金属板７及び第２ドーム状金属板８を段付き凹部５ａに上下２段で設置している。第１ドーム状金属板７は、その外周部がコモン接点２ａと常時接触している。第２ドーム状金属板８は、その外周部が第１選択接点３ａと常時接触し、中心部が第２選択接点４ａと対向している。
【００２１】
押しボタン９は、平面視コ字状の押圧板９ａと、押圧板９ａ中間片部の外側面中央部から突出した板状の操作部９ｂと、押圧板９ａ中間片部の内側面を斜め下向きに傾斜させた平らな傾斜面でなる押し下げ部９ｃと、押圧板９ａ中間片部の外側面両端部でなる復帰時のストッパ９ｄと、押圧板９ａ両端辺部の先端部外側面から外側へ突出した突起でなる押圧時の可動ストッパ９ｅとを一体に形成している。押しボタン９は、押圧板９ａをガイド体１０によってハウジング５の内側上部に略水平に支持して、操作部９ｂを切り欠き５ｃを通してハウジング５の左外側に略水平に突出させることにより、操作部９ｂを横方向から押圧することにより右方向に押し込み操作される。復帰時のストッパ９ｄは、ハウジング５の切り欠き５ｃ両側にある左側壁内面に対向している。
【００２２】
ガイド体１０は、第１ドーム状金属板６を覆わないように、ハウジング５の段付き凹部５ａ外側にある内底面の上に重ね合わせる平面視コ字状のベース板部１０ａと、ベース板部１０ａ両端辺部の外側縁から立ち上げてハウジング５の前後側壁内側に重ね合わせる一対のガイド壁部１０ｂとを一体に形成している。ガイド体１０は、ベース板部１０ａ及びガイド壁部１０ｂの外周面をハウジング５の前後左右４側壁内面に接触させると共に、ベース板部１０ａの下面をハウジング５の段付き凹部５ａ外側にある内底面で支持した状態で、ガイド壁部１０ｂの上部をカバー６で押えて、ハウジング５内に収容固定される。
【００２３】
また、ガイド体１０のガイド壁部１０ｂには、押しボタン９の押し込みストローク（スイッチの操作ストローク）を決める凹状の切り欠き１０ｃを設け、押しボタン９の押圧方向に沿って奥側にある切り欠き１０ｃの側端面が、押しボタン９の押圧を止める固定ストッパ１０ｄになっている。
【００２４】
ガイド体１０は、押しボタン９の押圧板９ａ上面をカバー６で押えて、切り欠き１０ｃ内に押しボタン９の可動ストッパ９ｅを嵌合させると共に、ガイド壁部１０ｂの間に押しボタン９の押圧板９ａを挟み、ベース板部１０ａ上面で押しボタン９の押圧板９ａ下面を支持し、ガイド壁部１０ｂ内面で押しボタン９の押圧板９ａ両外側面を支持して、押しボタン９を押圧方向に沿う横方向に往復移動自在に支持する。また、押しボタン９の押し込みストローク終端で、固定ストッパ１０ｄに押しボタン９の可動ストッパ９ｅを当接させ、押しボタン９の押圧を止める。
【００２５】
押し子１１は、両端がガイド体１０の切り欠き１０ｃより押しボタン９の押圧方向に沿って奥側にあるガイド壁部１０ｂに一体に繋がれて固定され、このガイド壁部１０ｂの間に架け渡たされる可撓性をもった捻り変形可能な薄板状の揺動支点部１１ａと、一端部が揺動支点部１１ａの内面中央部に一体に繋がれて支持され、揺動支点部１１ａの内面中央部から押しボタン９の押し下げ部９ｃに向かって略直角に延出される可撓性をもった上下に撓み変形可能な片持ち梁状のヒンジ部１１ｂとで、Ｔ字状に、ガイド体１０に一体に形成され、２つの固定端（揺動支点部９ａの両端）及び１つの自由端（ヒンジ部９ｂの先端）を有している。
【００２６】
また、ヒンジ部９ｂの先端部には、上向きに突出する山形の上部突起１１ｃと下向きに突出する半球状の下部突起１１ｄを一体に形成し、上部突起９ｃの頂部からヒンジ部９ｂの先端に向かって下る傾斜面を押しボタン９の押し下げ部９ｃに下側から接触させると共に、下部突起９ｃの下部を第１ドーム状金属板７の上面略中心部に当接させ、押しボタン９の押し下げ部９ｃに接触する上部突起９ｃの傾斜面が、押し子１１の自由端に一体に形成されて押しボタン９の押圧を下直角方向に変換する傾斜部１１ｅになっている。
【００２７】
さらに、傾斜部１１ｅには、押しボタン９の平らな（直線状の）押し下げ部９ｃに対し、面ではなく線をもって接触させ摺動させるように、丸みを付けている。
【００２８】
図３に示すように、本発明の一実施の形態による横押し型プッシュスイッチ１の組み立ては、ハウジング５の段付き凹部５ａに第１ドーム状金属板７及び第２ドーム状金属板８を上下２段で設置した後、その段付き凹部５ａ外側にある内底面の上に固定ストッパ１０ｄ及び押し子１１を一体に形成したガイド体１０を配置し、ハウジング５の切り欠き５ｃに押しボタン９の操作部９ｂを嵌合させると共に、ガイド体１０の切り欠き１０ｃに押しボタン９の可動ストッパ９ｅを嵌合させながら、押しボタン１１の押圧板９ａをガイド体１０のガイド壁部１０ｂの間に嵌合させて、押しボタン９を装着し、最後にカバー６を上方から嵌合してハウジング５に位置決め及び係止させることにより完了する。
【００２９】
図９は本発明の一実施の形態による横押し型プッシュスイッチの１段目のスイッチ動作後（第１ドーム状金属板動作後）の状態を示す断面図、図１０は本発明の一実施の形態による横押し型プッシュスイッチの２段目のスイッチ動作後（第２ドーム状金属板動作後）の状態を示す断面図である。次に、図４，図６，図７に基づいて本発明の一実施の形態による横押し型プッシュスイッチ１の動作を説明する。
【００３０】
図４は横押し型プッシュスイッチ１の動作前の状態を示し、押しボタン９を操作しない動作前の自由状態では、押しボタン９は、その復帰時のストッパ９ｄがハウジング５の切り欠き５ｃ両側にある左側壁内面に当接すると共に、押圧時の可動ストッパ９ｅがガイド体１０の切り欠き１０ｃ内の左端部に位置して固定ストッパ１０ｄとは離間し、押し下げ部９ｃが押し子１１の傾斜部１１ｅを押圧しない位置にあるので、押し子１１は、その揺動支点部１１ａ及びヒンジ部１１ｂ壁に殆ど外力を受けず、略自由状態にある。
【００３１】
また、第１ドーム状金属板７と第２ドーム状金属板８とは、それぞれが上向きに膨らんだ自由状態にあり離間すると共に、第２ドーム状金属板８は、中心部が第２選択接点４ａに対し離間対向している。
【００３２】
この自由状態から、押しボタン９の操作部９ｂを横方向から図４の右方向へ押圧すると、図９に示すように、押しボタン９の押し下げ部９ｃが右方向に移動し、接触している押し子１１の傾斜部１１ａを右方向に押圧しながら摺動する。これに伴い、横方向からの押しボタン９の押圧が下直角方向に変換されて押し子１１の自由端に伝達され、押し子１１は、先ず、揺動支点部１１ａを反時計方向に捻り変形させながら、その揺動支点部１１ａを中心に反時計方向へ回動し、自由端を下方向に押し下げ、その自由端の下部突起１１ｄにより第１ドーム状金属板７の上面略中心部を押し下げ操作する。
【００３３】
これによって、第１ドーム状金属板７は下向きに反転動作して、その下側にある第２ドーム状金属板８に接触するため、コモン接点２ａと第１選択接点３ａとが第１ドーム状金属板７及び第２ドーム状金属板８を介して電気的に導通接続され、１段目の第１スイッチがオンになる。
【００３４】
続いて、押しボタン９の操作部９ｂを横方向からさらに右方向へ押圧すると、図１０に示すように、押しボタン９の押し下げ部９Ｃはさらに右方向へ移動し、接触している押し子１１の傾斜部１１ｅをさらに右方向に押圧しながら摺動する。これに伴い、押し子９は、揺動支点部１１ａを反時計方向にさらに捻り変形させながら、その揺動支点部１１ａを中心に反時計方向へさらに回動し、加えてヒンジ部１１ｂを撓み変形させながら自由端を下方向に押し下げ、その自由端の下部突起１１ｄにより第１ドーム状金属板７と共に第２ドーム状金属板８の上面略中心部を押し下げ操作する。
【００３５】
これによって、第２ドーム状金属板７は下向きに反転動作して、その中心部下側にある第２選択接点４ａに接触するため、コモン接点２ａと第２選択接点４ａとが第１ドーム状金属板７及び第２ドーム状金属板８を介して電気的に導通接続され、２段目の第２スイッチが１段目の第１スイッチに続いてオンになる。
【００３６】
この時、押しボタン９の可動ストッパ９ｅは、ガイド体１０の切り欠き１０ｃ内の右端部に移動し、ガイド体１０の固定ストッパ１０ｄに突き当たって受け止められ、横方向からの押しボタン９の押圧が止められ、押し子１１や第１ドーム状金属板７及び第２ドーム状金属板８の耐久性の低下を招く押しボタン９の過剰な押圧（オーバーストローク）を精度良く制限する。なお、押しボタン９の操作部９ｂが押圧されて第２ドーム状金属板８と第２選択接点４ａが接触している間は、第１スイッチ及び第２スイッチのオン状態を保つ。
【００３７】
この第１スイッチ及び第２スイッチのオン状態で、横方向からの押しボタン９の押圧を除くと、第１ドーム状金属板７及び第２ドーム状金属板８がそれぞればね力により上向きに反転動作して元の自由状態に戻ると共に、押し子９もヒンジ部９１１ｂ及び揺動支点部１１ａそれぞれの弾性復帰力により元の自由状態に戻り、それに伴って、押しボタン９も元の位置に戻り、図４に示したスイッチ動作前の自由状態に復帰する。この自由状態への復帰時に、第２ドーム状金属板８と第２選択接点４ａとの接触が断たれ時点で第２スイッチがオフになり、第１ドーム状金属板７と第２ドーム状金属板８との接触が断たれた時点で第１スイッチがオフになる。
【００３８】
上記から明らかなように、本発明の一実施の形態による横押し型プッシュスイッチ１は、２枚の第１，第２ドーム状金属板７，８を上下２段で設置し、その第１，第２ドーム状金属板７，８を横方向からの押しボタン９の押圧により押し下げる２段動作タイプの横押し型プッシュスイッチであり、スイッチの操作ストロークがドーム状金属板が１枚の１段動作タイプの横押し型プッシュスイッチより長くなるが、２つの固定端及び１つの自由端を有する可撓性をもったＴ字状の押し子１１を備え、押し子１１の自由端を押しボタン９に接触するようにし、その押し子１１の自由端に押しボタン９の押圧を直角方向に変換する傾斜部１１ｅを形成し、押しボタン９の押圧により押し子１１の２つの固定端の間１１ａを捻り変形させながら、押し子１１の自由端により第１，第２ドーム状金属板７，８を押し下げるので、押し子１１全体の変形量を少なくして（単純な片持ち梁構造の押し子に比べて）、押し子１１に発生する応力を減少させることができる。これにより、押し子１１の外形を大きくすることなく、押し子１１の耐久性を向上することができる。
【００３９】
また、押し子１１の傾斜部１１ｅには丸みを付けて、押しボタン１１に線接触させて摺動させるので、押しボタン９と押し子１１の自由端との摺動摩擦を少なくして（面接触に比べ）、押しボタン９と押し子１１の自由端との摺動部の磨耗を抑え、第１，第２ドーム状金属板７，８の安定した押し下げストローク（スイッチの操作ストローク）を得ることができる。これにより、スイッチの寿命まで第１，第２ドーム状金属板７，８の良好な動作特性（スイッチの良好な動作特性）を得ることができる。
【００４０】
また、押し子１１は、押しボタン９を横方向に往復移動自在に支持するガイド体１０に、押し子１１の２つの固定端で繋いで一体に形成するので、押しボタン９と押し子１１との位置精度を容易に確保でき、第１，第２ドーム状金属板７，８の安定した押し下げストロークを得ることができる。これにより、スイッチの寿命まで第１，第２ドーム状金属板７，８の良好な動作特性を得るとができる。
【００４１】
また、押しボタン９に可動ストッパ９ｅを一体に形成すると共に、ガイド体１０に、押しボタン９の可動ストッパ９ｅを当接させて、押しボタン９の押圧を決められた位置で止める固定ストッパ１０ｄを一体に形成するので、押しボタン９の過剰な押圧（オーバーストローク）を精度よく制限することができ、これにより、押しボタン９の過剰な押圧による押し子１１や第１，第２ドーム状金属板７，８の耐久性の低下を防止することができると共に、スイッチの寿命まで第１，第２ドーム状金属板７，８の良好な動作特性を得ることができる。
【００４２】
従って、本発明の一実施の形態による横押し型プッシュスイッチ１は、高寿命化を容易に図ることができると共に、スイッチの寿命まで良好な動作特性を得ることができる小形・薄形で、２段動作タイプの横押し型プッシュスイッチになっている。
【００４３】
以上、本実施の形態は本発明の良好な一実施の形態を示したが、本発明はそれに限定されることなく、その要旨を逸脱しない範囲内で種々変形実施することができるものである。
【図面の簡単な説明】
【００４４】
【図１】本発明の一実施の形態による横押し型プッシュスイッチの外観を示す平面図である。
【図２】本発明の一実施の形態による横押し型プッシュスイッチの外観を示す側面図である。
【図３】本発明の一実施の形態による横押し型プッシュスイッチの内部構造を示すカバー除去状態の平面図である。
【図４】本発明の一実施の形態による横押し型プッシュスイッチの内部構造を示す断面図である。
【図５】本発明の一実施の形態による横押し型プッシュスイッチの組み立て図である。
【図６】本発明の一実施の形態による横押し型プッシュスイッチに備える押しボタンを下から見た斜視図である。
【図７】本発明の一実施の形態による横押し型プッシュスイッチに備える押し子の構造を示すガイド体の平面図である。
【図８】本発明の一実施の形態による横押し型プッシュスイッチに備える押し子の構造を示す断面図である。
【図９】本発明の一実施の形態による横押し型プッシュスイッチの１段目のスイッチ動作後の状態を示す断面図である。
【図１０】本発明の一実施の形態による横押し型プッシュスイッチの２段目のスイッチ動作後の状態を示す断面図である。
【符号の説明】
【００４５】
１  横押し型プッシュスイッチ
７  第１ドーム状金属板
８  第２ドーム状金属板
９  押しボタン
９ｅ  可動ストッパ
１０  ガイド体
１０ｄ  固定ストッパ
１１  押し子
１１ｅ  傾斜部
【図１】
2008108654.tif 000003
【図２】
2008108654.tif 000004
【図３】
2008108654.tif 000005
【図４】
2008108654.tif 000006
【図５】
2008108654.tif 000007
【図６】
2008108654.tif 000008
【図７】
2008108654.tif 000009
【図８】
2008108654.tif 000010
【図９】
2008108654.tif 000011
【図１０】
2008108654.tif 000012